(57)【要約】【課題】  この発明は、人が避難する際に通過し易く、閉鎖位置に障害物があったとしても影響を受けることがない、火災区画と非火災区画とに区分し、煙が非火災区画側に拡散することを防止できる防煙設備を提供する。【解決手段】  垂れ壁と、水幕形成手段と、該水幕形成手段によって生ずる気流と翼断面形状によるコアンダ効果とを利用して火災区画側へ気流を偏向させて煙を押し戻す気流偏向手段と、を備えた。また、前記気流偏向手段は、前記垂れ壁に沿ってその両側に設けられた翼断面形状の２枚のフラップとし、該フラップは、前記翼断面形状の前縁部と天井面との間に吸込用の隙間を有し、前記翼断面形状の後縁部である下端側に向かって前記垂れ壁から離間する方向に湾曲するように設けた。【選択図】図３
2014180497.tif 000002
【特許請求の範囲】
【請求項１】
火災発生時、建物等の内部空間を仕切って、火災発生箇所のある火災区画と火災発生箇所のない非火災区画とに区分し、火災区画から非火災区画に煙が拡散することを防止する防煙設備であって、
垂れ壁と、水幕形成手段と、該水幕形成手段によって生ずる気流と翼断面形状によるコアンダ効果とを利用して火災区画側へ気流を偏向させて煙を押し戻す気流偏向手段と、を備えることを特徴とする防煙設備。
【請求項２】
前記気流偏向手段は、前記垂れ壁に沿ってその両側に設けられた翼断面形状のフラップであって、前記翼断面形状の前縁部と天井面との間に吸込用の隙間を有し、前記翼断面形状の後縁部である下端側に向かって前記垂れ壁から離間する方向に湾曲して設けられる２枚のフラップであることを特徴とする請求項１記載の防煙設備。
【請求項３】
前記フラップは、平常時は天井面に格納され、火災発生時に下方へ向けて展開するように制御されることを特徴とする請求項２記載の防煙設備。
【請求項４】
前記フラップ直近にあって前記垂れ壁から離間する側の天井面に設けられた２つの煙感知器を備え、前記フラップは、直近に設けられた前記煙感知器が煙を感知したときに下方へ向けて展開するように制御されることを特徴とする請求項３に記載の防煙設備。
【請求項５】
前記フラップ直近にあって前記垂れ壁から離間する側の天井面に設けられた２つの煙感知器を備え、
前記水幕形成手段は、火災発生時に、天井面側から床面に向けて略鉛直方向に扇状の噴霧パターンで水を噴霧し、該噴霧パターンが互いに重なり合って水幕を形成するように所定間隔で設けられ、前記垂れ壁と前記フラップとの間の２列に設けられる複数の噴霧ヘッドから成り、
火災発生時に、前記煙感知器のうち煙を感知した側の前記噴霧ヘッドの列だけ水を噴霧するように制御されることを特徴とする請求項１乃至４のいずれかに記載の防煙設備。
【請求項６】
前記水幕形成手段は、火災発生時に、天井面側から床面に向けて略鉛直方向に扇状の噴霧パターンで水を噴霧し、該噴霧パターンが互いに重なり合って水幕を形成するように所定間隔で設けられ、前記垂れ壁の内部に１列だけ設けられることを特徴とする請求項１乃至４のいずれかに記載の防煙設備。
【発明の詳細な説明】
【技術分野】
【０００１】
この発明は、火災発生時に建物等の内部空間を仕切って、火災発生箇所のある火災区画と火災発生箇所のない非火災区画とに区分し、火災区画から非火災区画に煙が拡散することを防止する防煙設備に関する。
【背景技術】
【０００２】
従来、建物等の内部で発生した火災に対し、火災の拡大や煙の拡散を防止するために、火災発生箇所の空間を防火戸等で仕切って、火災発生箇所のある火災区画と火災発生箇所のない非火災区画（避難区画）とに区分することが一般に行われている。
【０００３】
そして、防火戸に代えて、人が避難する際に通過し易く、煙の拡散を防止する防煙カーテン（防煙スクリーンとも称される）を用いることが提案されている（特許文献１参照）。しかしながら、防火戸や防煙カーテンの場合、閉鎖位置に障害物が置かれていたりすると、完全には閉鎖させることができず、煙が床面や障害物との間にできる隙間から漏れ出てしまい、非火災区画側に拡散してしまう。
【０００４】
一方、特開２００４−３１３７５３号公報（特許文献２）には、トンネル形状の構築物等を対象に設けられる設備についてのものではあるが、噴霧ヘッドから水を噴霧して形成した水幕によって煙を洗い流すと共に対象の空間を複数の区画に区分し、それにより防火と防煙をする技術が開示されている。
【先行技術文献】
【特許文献】
【０００５】
【特許文献１】実開昭６０−０７１２３４号公報
【特許文献２】特開２００４−３１３７５３号公報
【発明の概要】
【発明が解決しようとする課題】
【０００６】
防火戸や防煙カーテンに代えて、前記特許文献２に記載の水幕の技術を利用すれば、水幕の形成位置に障害物が置かれていたりしても隙間ができないようにしつつ、水幕を形成することが可能である。
【０００７】
しかしながら、前記の水幕の技術を利用しても、水粒子よりも遙かに小粒径であるサブミクロン単位の粒径である煙粒子は水幕を容易に通り抜けてしまうことから、水幕による煙の洗い流しの効果は実際には低い。又、噴霧ヘッドから放出される水は煙を引き込みながら噴霧されることになるので、噴霧により煙を拡散させてしまい、水幕を形成しても、煙が水幕を越えて非火災区画側に拡散してしまう。
【０００８】
つまり、従来の技術である防煙カーテンや水幕では、火災区画と非火災区画とに区分しようとしても、何れも、煙が非火災区画側に拡散してしまうという課題がある。
【０００９】
この発明は、前記の事情に鑑み、人が避難する際に通過し易く、閉鎖位置に障害物があったとして影響を受けることがない、火災区画と非火災区画とを区分し、煙が非火災区画側に拡散することを防止できる防煙設備を提供することを目的とする。
【課題を解決するための手段】
【００１０】
（１）この発明の防煙設備は、火災発生時、建物等の内部空間を仕切って、火災発生箇所のある火災区画と火災発生箇所のない非火災区画とに区分し、火災区画から非火災区画に煙が拡散することを防止する防煙設備であって、垂れ壁と、水幕形成手段と、該水幕形成手段によって生ずる気流と翼断面形状によるコアンダ効果とを利用して火災区画側へ気流を偏向させて煙を押し戻す気流偏向手段と、を備えることを特徴とする。
（２）また、この発明の防煙設備は、（１）において、前記気流偏向手段は、前記垂れ壁に沿ってその両側に設けられた翼断面形状のフラップであって、前記翼断面形状の前縁部と天井面との間に吸込用の隙間を有し、前記翼断面形状の後縁部である下端側に向かって前記垂れ壁から離間する方向に湾曲して設けられる２枚のフラップであることを特徴とする。
（３）また、この発明の防煙設備は、（２）において、前記フラップは、平常時は天井面に格納され、火災発生時に下方へ向けて展開するように制御されることを特徴とする。
（４）また、この発明の防煙設備は、（３）において、前記フラップ直近にあって前記垂れ壁から離間する側の天井面に設けられた２つの煙感知器を備え、前記フラップは、直近に設けられた前記煙感知器が煙を感知したときに下方へ向けて展開するように制御されることを特徴とする。
（５）また、この発明の防煙設備は、（１）〜（４）において、前記フラップ直近にあって前記垂れ壁から離間する側の天井面に設けられた２つの煙感知器を備え、前記水幕形成手段は、火災発生時に、天井面側から床面に向けて略鉛直方向に扇状の噴霧パターンで水を噴霧し、該噴霧パターンが互いに重なり合って水幕を形成するように所定間隔で設けられ、前記垂れ壁と前記フラップとの間の２列に設けられる複数の噴霧ヘッドから成り、火災発生時に、前記煙感知器のうち煙を感知した側の前記噴霧ヘッドの列だけ水を噴霧するように制御されることを特徴とする。
（６）また、この発明の防煙設備は、（１）〜（４）において、前記水幕形成手段は、火災発生時に、天井面側から床面に向けて略鉛直方向に扇状の噴霧パターンで水を噴霧し、該噴霧パターンが互いに重なり合って水幕を形成するように所定間隔で設けられ、前記垂れ壁の内部に１列だけ設けられることを特徴とする。
【発明の効果】
【００１１】
請求項１に記載の構成によると、火災発生時、天井面に沿って流入する煙層は垂れ壁で堰き止められ、水幕形成手段によって下降気流が生ずると、気流偏向手段によって煙を火災区画側へ押し戻すように偏向するので、非火災区画に煙が拡散することを防止できる。
【００１２】
また、請求項２に記載の構成によると、水幕形成手段によって生じた下降気流がコアンダ効果によってフラップ表面に沿って流れて水幕形成手段から離間する方向へ偏向されるので、煙を火災区画側へ押し戻すことができる。
【００１３】
また、請求項３に記載の構成によると、平常時はフラップを天井面に格納するので通行の障害とならないとともに美観を損なわない。
【００１４】
また、請求項４に記載の構成によると、（３）に加え、火災発生時に展開不要な非火災区画側のフラップを展開せず、展開した火災区画側のフラップの偏向の効果を増すことができる。
【００１５】
また、請求項５に記載の構成によると、火災区画側の列だけの噴霧ヘッドから水を噴霧するので、水源を節約して、より長時間運転することができる。
【００１６】
また、請求項６に記載の構成によると、噴霧ヘッドが垂れ壁内に設けられるので美観を損なわないとともに、噴霧ヘッドが１列に配置されるので火災発生時に水を噴霧するヘッドの列を選択する制御が不要となる。
【図面の簡単な説明】
【００１７】
【図１】本発明の実施の形態１に係る防煙設備の構成を側面視で示した図である。
【図２】本発明の実施の形態１に係る防煙設備の構成を正面視で示した図である。
【図３】本発明の実施の形態２に係る防煙設備の構成を側面視で示した図である。
【発明を実施するための形態】
【００１８】
［実施の形態１］
図１、２に基づいて本実施の形態に係る防煙設備について説明する。  防煙設備１−１は、建物等の内部に設けられ、水幕形成手段によって水幕ＷＣを形成して、防煙対象の空間を仕切り、火災発生側である火災区画Ｒ１と火災発生が無く人が避難する側となる非火災区画（避難区画）Ｒ２とに区分して、水幕ＷＣにより火災区画Ｒ１から非火災区画Ｒ２への煙の流れを遮断し、煙が非火災区画Ｒ２側に拡散するのを防止するものである。
【００１９】
建物等の天井面Ｃには、天井面Ｃから垂下して垂れ壁２が設けられる。垂れ壁２は、上端部が天井面Ｃに、両側面が壁面Ｗに、それぞれ接して閉塞され、下端部が所定高さまで垂下した板状体である。一般に、建物等の天井には、このような垂れ壁２が防煙用に設けられており、火災による熱気流によって、天井面Ｃに沿って流れる煙層Ａ１を堰き止める作用があり、本実施の形態においても同様に作用する。後述するフラップ３−１、３−２の上方には煙を吸い込む為の隙間５が設けられるが、この垂れ壁２があることによって、煙が隙間５を通って非火災区画Ｒ２側に流れ込むことを防止できるようになっている。この垂れ壁２は、天井面Ｃに収納して設けるようにし、火災発生時に垂下するように制御してもよい。
【００２０】
ところで、火災が拡大して煙層Ａ１の厚みが増した場合、あるいは、火災発生源からの距離が遠くて煙層Ａ１が熱を失って天井面Ｃから離間した場合は、煙層Ａ１は垂れ壁２の下端よりも低い高さで垂れ壁２を越えて非火災区画Ａ２へ流れ込む。
【００２１】
そこで、防煙設備１−１は、水幕ＷＣを形成する水幕形成手段と、煙の流れを偏向させる気流偏向手段とを備え、火災区画Ｒ１側から非火災区画Ｒ２側へ流入しようとする煙層Ａ１の流れを偏向させ、火災区画Ｒ１側へ押し返すようにした。
【００２２】
まず、水幕ＷＣを形成する水幕形成手段について説明する。
【００２３】
防煙設備１−１は、火災発生時に水幕ＷＣを形成する水幕形成手段として、天井面Ｃ側から床面Ｆに向けて略鉛直方向に扇状の噴霧パターンで水を噴霧する複数の噴霧ヘッド４−１、４−２を備える。そして、該噴霧パターンが互いに重なり合って水幕ＷＣを形成するように、複数の噴霧ヘッド４−１、４−２が所定間隔で設けられる。これらの複数の噴霧ヘッド４−１、４−２は、垂れ壁２と、垂れ壁２の両側に設けられる後述する２枚のフラップ３−１、３−２との間の２列に設けられる。
【００２４】
ここでは説明の便宜のため、防煙設備１−１を中心として一方の側を火災区画Ｒ１（図１左方）、他方の側を非火災区画Ｒ２（図１右方）と定める。更に、火災区画Ｒ１側のフラップ３−１と垂れ壁２との間に所定間隔で直線上に複数設けられる噴霧ヘッド列を噴霧ヘッド４−１、非火災区画Ｒ２側のフラップ３−２と垂れ壁２との間に所定間隔で直線上に複数設けられる噴霧ヘッド列を噴霧ヘッド４−２、と呼称する。
【００２５】
そして、火災発生時は、垂れ壁２よりも火災方向側、すなわち火災区画Ｒ１側の噴霧ヘッド４−１より、天井面Ｃ側から床面Ｆに向けて略鉛直方向に水を噴霧する。そして、隣接する他の噴霧ヘッドの方向に拡がった扇状の噴霧パターンで水を噴霧し、これら複数の噴霧ヘッド４−１からの噴霧パターンが互いに重なり合って水幕ＷＣを形成する。なお、火災発生が逆の区画側であった場合は、区画Ｒ２側の噴霧ヘッド４−２より同様に水を噴霧すれば良い。この場合、図１において左右が入れ替わるだけなので、その説明は省略する。また、水源の容量を問題としない場合は、噴霧ヘッド４−１、４−２の両方から水を噴霧しても良い。
【００２６】
なお、火災区画Ｒ１側の噴霧ヘッド４−１だけから水を噴霧するように制御するには、後述するフラップ３−１、３−２の直近にあって垂れ壁２から離間する側の天井面Ｃに、２つの煙感知器Ｄ１、Ｄ２を設け、煙感知器Ｄ１、Ｄ２のうち煙を感知した側の噴霧ヘッドの列だけ水を噴霧するように制御すれば良い。
【００２７】
このように形成される水幕ＷＣ自体にも、煙粒子を吸着して洗い流す多少の効果はある。しかしながら、解決しようとする課題で述べたように、水幕ＷＣの水粒子よりも遙かに小粒径であるサブミクロン単位の粒径である煙粒子は水幕ＷＣを容易に通り抜けてしまうことから、水幕ＷＣによる煙の洗い流しの効果は極めて限定的である。さらに、水噴霧により煙を拡散させてしまうので、水幕ＷＣのみによって煙が非火災区画Ｒ２側へ拡散することを防ぐことはできない。
【００２８】
次に、火災区画Ｒ１側へ煙を押し戻す気流偏向手段について説明する。
【００２９】
上記のように、煙は水幕ＷＣを容易に通り抜けてしまうので、本実施の形態の防煙設備１−１は、火災区画Ｒ１側から天井面Ｃに沿って押し寄せる煙層Ａ１を火災区画Ｒ１側に押し返す気流偏向手段を備える。
【００３０】
前記気流偏向手段は、垂れ壁２に沿ってその両側に設けられた翼断面形状の板状体であるフラップ３−１、３−２であり、これらは噴霧ヘッド４−１、４−２に対して垂れ壁２から離間する側に設けられる。ここでは説明の便宜のため、噴霧ヘッド４−１側をフラップ３−１、噴霧ヘッド４−２側をフラップ３−２と定める。
【００３１】
フラップ３−１、３−２は、翼断面形状の前縁部である一端が上方の天井面Ｃ側を向き、翼断面形状の後縁部である他端が下方の床面Ｆ側を向くように、また、翼断面形状の前縁部から後縁部に向かって、垂れ壁２から離間する方向へ湾曲するように設けられる。そして、その上端部（翼断面形状の前縁部）は、天井面Ｃとの間に吸込用の隙間５を有するように天井面Ｃから離間して設けられ、少なくともその両端の２箇所において、上端側（翼断面形状の前縁部側）に突設された支柱を有し、該支柱が天井面Ｃに貫入して固定される。
【００３２】
一方、前記水幕形成手段が水を噴霧して水幕ＷＣを形成すると、周囲の空気を巻き込んで下降気流を生ずる。換言すれば、水幕形成手段によって下降気流が生じる。
【００３３】
火災発生時、火災区画Ｒ１側の噴霧ヘッド４−１から水が噴霧されて水幕ＷＣが形成されると、この下降気流は、フラップ３−１の翼断面形状の前縁部である上端と天井面Ｃとの間の吸込用の隙間５から煙層Ａ１を吸い込み、コアンダ効果によって、フラップ３−１の垂れ壁２側の面に沿って流れる。そして、翼断面形状のフラップ３−１の垂れ壁２側の表面に沿って流れる煙は、翼断面形状の後縁部が垂れ壁２から離間する方向に湾曲するので、火災区画Ｒ１側に偏向される。つまり、煙層Ａ１は気流偏向手段であるフラップ３−１によって火災区画Ｒ１側へ偏向された気流Ａ２により、火災区画Ｒ１側へ押し戻される。
【００３４】
ここで煙層Ａ１が天井面Ｃから離間して、隙間５から吸い込まれなかったとしても、隙間５から吸い込まれて火災区画Ｒ１側に偏向した気流Ａ２によって、煙は火災区画Ｒ１側へ押し戻されることになる。
［実施の形態２］
図３に基づいて本実施の形態について説明する。なお、実施の形態１と同じ構成には同一の符号を付して、その説明を省略する。
【００３５】
本実施の形態は、実施の形態１と同じ原理で動作する防煙設備であり、その変形例を示したものである。
【００３６】
本実施の形態では、実施の形態１で説明した固定式のフラップ３−１、３−２に代えて、平常時は天井面Ｃに格納され、火災発生時に天井面Ｃから垂下して展開する可動式のフラップ３０−１、３０−２を設ける。天井面Ｃには、フラップ３０−１、３０−２を埋込設置可能な収納スペースを設けておくと、格納時にフラップ３０−１、３０−２が天井面Ｃから出っ張らずにフラットな天井面Ｃを形成することができる。このようにすることにより、天井面Ｃの美観を損なわないようにできる。また、長尺な物体を持って移動する際に、これがフラップ３０−１、３０−２に衝突することを防ぐことができ、通行の障害となることを防ぐことができる。また、このような衝突を防ぐことによって、フラップ３０−１、３０−２の破損を防止することもできる。
【００３７】
フラップ３０−１、３０−２は、火災発生時、建物に設置された自動火災報知設備の火災発報に連動して、同時に展開するようにしても良いし、実施の形態１で用いた煙感知器Ｄ１、Ｄ２を用い、これら２つの煙感知器のうち、煙を感知した側だけを展開するようにしても良い。そして、展開後のフラップ３０−１、３０−２は、実施の形態１に示したフラップ３−１、３−２と同様に作用するので、その説明は省略する。
【００３８】
また、本実施の形態の水幕形成手段は、２層の板材で形成された垂れ壁２０の内部に１列だけ設けられる複数の噴霧ヘッド４から成る。この噴霧ヘッド４は、実施の形態１と同様に、火災発生時に、天井面Ｃ側から床面Ｆに向けて略鉛直方向に扇状の噴霧パターンで水を噴霧し、該噴霧パターンが互いに重なり合って水幕を形成するように所定間隔で設けられる。
【００３９】
このように構成することにより、噴霧ヘッド４が垂れ壁２０内に隠れて設けられるので美観を損なわない。また、噴霧ヘッド４が１列に配置されるので、火災発生時に水を噴霧するヘッドの列を選択する制御が不要となる。
【００４０】
なお、上記の格納式フラップによる気流偏向手段と、垂れ壁内に１列に配設された水幕形成手段は、それぞれ個別に、実施の形態１に適用することが可能である。
【符号の説明】
【００４１】
１−１、１−２  防煙設備、  ２、２０  垂れ壁、
３−１、３−２、３０−１，３０−２  フラップ、
４、４−１、４−２  噴霧ヘッド、  ５  隙間、
Ｄ１、Ｄ２  煙感知器、  Ｃ  天井面、  Ｆ  床面、  Ｗ  壁面、  ＷＣ  水幕、
Ｒ１  火災区画、  Ｒ２  非火災区画
【図１】
2014180497.tif 000003
【図２】
2014180497.tif 000004
【図３】
2014180497.tif 000005